(57)【要約】【課題】  本考案は、使用する個数を任意に選択することができ、必要に応じて適宜収納力を調整することができ、使用勝手に優れる吊下式収納部材を提供する。【解決手段】  本考案の吊下式収納部材Ａは、平坦な本体１の表側に設けたポケット２と、本体１の上端側に設けて本体１を吊り下げる固定部に固定する固定兼縦連結用部材３ａと、本体１の下端側に設けて固定兼縦連結用部材３ａと連結する縦連結用部材３ｃと、から成る。【選択図】図５
0003219451.tif 000002
【実用新案登録請求の範囲】
【請求項１】
平坦な本体（１）の表側に設けたポケット（２）と、
前記本体（１）の上端側に設けて前記本体（１）を吊り下げる固定部に固定する固定兼縦連結用部材（３ａ）と、
前記本体（１）の下端側に設けて前記固定兼縦連結用部材（３ａ）と連結する縦連結用部材（３ｃ）と、
から成ることを特徴とする吊下式収納部材。
【請求項２】
前記本体（１）の左右側端側には、他の本体（１）と横方向で連結する横連結部材（５ａ，５ｂ）が設けられていることを特徴とする請求項１に記載した吊下式収納部材。
【考案の詳細な説明】
【技術分野】
【０００１】  本考案は、例えば、ハガキや封書やメモ用紙等の紙類、筆記具や定規等の文房具類、手帳や携帯電話等の身の周りの物品、靴下やタオル等の衣類等の収納物品を収納できる吊り下げ式の収納部材に関する。
【背景技術】
【０００２】  壁等に掛けて使用し複数の収納部（ポケット部）を有するタペストリー形式の収納部材が知られている（下記特許文献１参照）。
【先行技術文献】
【特許文献】
【０００３】
【特許文献１】実用新案登録第３０９６２２４号公報
【考案の概要】
【考案が解決しようとする課題】
【０００４】  前記特許文献１は、上及び下に棒材取付け部が設けられた布シートと、上及び下の棒材取付け部にそれぞれ設けられた上棒材及び下棒材と、布シートの正面側に並べて設けられ、透明シートからなって上部にそれぞれ出し入れ口が設けられた複数のポケット部を備えるポケット群と、上棒材の両端に、少なくともその一方は取外し可能に固定された吊り下げ紐とを有し、しかも、各ポケット部は、２枚の前記透明シートを重ねて、各ポケット部の出し入れ口を除く周囲を接着して形成されている。【０００５】  斯かる構成では、予めポケット部の形状（特に、大きさ）や個数が設定されており、ポケット部に収納できる物に制約があった。
【課題を解決するための手段】
【０００６】  本考案は、このような問題を解決するために、平坦な本体の表側に設けたポケットと、前記本体の上端側に設けて前記本体を吊り下げる固定部に固定する固定兼縦連結用部材と、前記本体の下端側に設けて前記固定兼縦連結用部材と連結する縦連結用部材と、から成ることを特徴とする吊下式収納部材である。【０００７】  特に、前記本体の左右側端側には、他の本体と横方向で連結する横連結部材が設けられていることを特徴とする吊下式収納部材である。
【考案の効果】
【０００８】  本考案に係る吊下式収納部材は、使用する個数を任意に選択することができるので、必要に応じて適宜収納力を調整することができ、使用勝手に優れているものである。
【図面の簡単な説明】
【０００９】
【図１】  本考案の第１実施例を示す平面図である。
【図２】  同上実施例の使用例を説明する平面図である。
【図３】  同上の第２実施例を示す平面図である。
【図４】  同上実施例の使用例を説明する平面図である。
【図５】  同上の第３実施例を示す平面図である。
【図６】  同上実施例の使用例を説明する平面図である。
【図７】  同上実施例の他の使用例を説明する平面図である。
【図８】  同上の第４実施例を示す平面図である。
【図９】  本考案の各実施例の使用例を説明する斜視図である。
【考案を実施するための形態】
【００１０】  本考案に係る吊下式収納部材は、平坦な本体の表側に設けたポケットと、前記本体の上端側に設けて前記本体を吊り下げる固定部に固定する固定兼縦連結用部材と、前記本体の下端側に設けて前記固定兼縦連結用部材と連結する縦連結用部材と、から成ることにより、縦方向への複数個展開が可能となり、必要に応じて適宜収納力を調整することができ、使用勝手に優れている。
【００１１】  特に、前記本体の左右側端側には、他の本体と横方向で連結する横連結部材が設けられていることにより、横方向への複数個展開が可能となり、必要に応じて適宜収納力を調整することができ、使用勝手に優れている。
【実施例】
【００１２】  以下、添付図面に基づいて本考案の実施例を説明すると、図１，２は、第１実施例を示しており、吊下式収納部材Ａは、矩形平坦布製の本体１の表側の略中央部に図示しない小物物品を収納可能とする上方が開口しているマチ付きの矩形平坦布製のポケット２を設けている。【００１３】  本体１の裏側の上端側には、雄型スナップボタン（固定兼縦連結用部材）３ａが左右２個所に平行状態に設けられており、本体１の裏側の雄型スナップボタン３ａの下方には雄型スナップボタン３ａと間隔を有しながら嵌合する雌型スナップボタン（固定用部材）３ｂが左右２個所に平行状態に設けられている。【００１４】  この雄型スナップボタン３ａと雌型スナップボタン３ｂとを嵌合させることにより、本体１の上方は、空間を有するリング状に変形することから、この空間に木製、金属製、樹脂製等である直線棒状の固定部Ｂを挿通させることにより、本体１を吊り下げて本体１を固定することができ、この場合には、１個の吊下式収納部材Ａとして使用することができる。【００１５】  ところで、本体１の表側の下端側には、雄型スナップボタン３ａと嵌合する雌型スナップボタン（縦連結用部材）３ｃが設けてある。【００１６】  係る構成の吊下式収納部材Ａを複数個用意し縦方向に配置して、上方に位置する吊下式収納部材Ａの雄型スナップボタン３ａと、下方に位置する吊下式収納部材Ａの雌型スナップボタン３ｃとを嵌合させることにより、複数個の吊下式収納部材Ａを縦方向に連結して一体とした一つの収納部材として展開、使用することができる（図２参照）。【００１７】  このように、本考案に係る吊下式収納部材Ａは、必要に応じて適宜収納力を調整することができ、使用勝手に優れているものである。【００１８】  図３，４は、本考案の第２実施例を示しており、前記第１実施例において説明した吊下式収納部材Ａの本体１の図面左側端側に本体１の左横方向へ突出する舌片部４を縦方向に２個、図面右側端側に本体１の右横方向へ突出する舌片部４を１個夫々設けてある。【００１９】  そして、舌片部４の表面に雄型面ファスナー（横連結用部材）５ａが夫々設けてあり、本体１の裏面には、雄型面ファスナー５ａと面固定する雌型面ファスナー（横連結用部材）５ｂが、図面左側端側に１個、図面右側端側に縦方向に２個夫々設けてある。【００２０】  係る構成の吊下式収納部材Ａを複数個用意し横方向に配置して、一方の吊下式収納部材Ａの舌片部４を他方の吊下式収納部材Ａの本体１の裏面に延ばして、一方の吊下式収納部材Ａの舌片部４の雄型面ファスナー５ａと他方の吊下式収納部材Ａの本体１の雌型面ファスナー５ｂとを面固定させることにより、複数個の吊下式収納部材Ａを横方向に連結して一体とした一つの収納部材として展開、使用することができる（図４参照）。【００２１】  このように、本考案に係る吊下式収納部材Ａは、必要に応じて適宜収納力を調整することができ、使用勝手に優れているものである。【００２２】  もちろん、前記各実施例を合わせた形状とすることも可能であり、その場合には、縦及び横へ複数個の吊下式収納部材Ａを展開設置することができるもので、使用勝手が格段に向上する。【００２３】  図５〜７は、本考案の第３実施例を示しており、吊下式収納部材Ａの舌片部４の表裏面に雄型面ファスナー５ａを設け、その吊下式収納部材Ａの本体１の裏面で舌片部４を設けた側端側にも雌型面ファスナー５ｂを設けることにより（図５（ａ），（ｂ）参照）、それらを面固定させることにより、横方向へ他の吊下式収納部材Ａを連結しない場合には、舌片部４をその吊下式収納部材Ａの本体１の裏側（背後）に収納できる機能を有する構成となっている（図５（ｃ），（ｄ）参照）。【００２４】  この第３実施例も、縦や横方向へ複数個の吊下式収納部材Ａを連結することができる（図６，７参照）。【００２５】  図８は、本考案の第４実施例を示しており、前記第３実施例で示した吊下式収納部材Ａと同形のもの２個（同図（ａ）の左下）と、前記第３実施例で示した吊下式収納部材Ａに対して横幅が２倍の中型の吊下式収納部材Ａを１個（同図（ａ）の左上）と、これらを縦方向に連結した際に略同寸法となりポケット２を上に１個と下に２個有する大型の吊下式収納部材Ａを１個（同図（ａ）の右）からの組み合わせで構成されている。【００２６】  なお、図面には表われていないが、前記第３実施例と同様に、各吊下式収納部材Ａの本体１の裏面には、固定兼縦連結用部材たる雄型スナップボタン３ａと嵌合する雌型スナップボタン（縦連結用部材）が設けてある。【００２７】  また、図面では省略しているが、前記第３実施例と同様に、各吊下式収納部材Ａの舌片部４の表裏面には、雄型面ファスナー（横連結用部材）が設けてあり、各吊下式収納部材Ａの本体１の裏面の側端側には雌型面ファスナー（横連結用部材）が設けてあり、それらの機能は前記第３実施例と同じである（段落番号００２３参照）。【００２８】  このように、大きさの異なる吊下式収納部材Ａを複数個連結することも可能であり、収納したい物の形状、大きさ、必要な数に合わせてそれぞれ独立したポケット２の連結の仕方を変えることで、使用者自身が自分の好みや目的に合わせた収納管理ができ、設置スペースが変わってもそのスペースの大きさに応じた吊下式収納部材Ａに変えることができる。【００２９】  図９は、本考案の前記各実施例の使用例に係り、吊下式収納部材Ａを固定する固定部Ｂとして、ワイヤーラック（同図（ａ））、既存の洋服ハンガー（同図（ｂ））、家具のラダー（同図（ｃ））が利用可能であり、吊下式収納部材Ａを設置する場所も任意に選べることを示している。【００３０】  なお、本考案は、その要旨の範囲で種々の応用が可能であり、固定兼縦連結用部材３ａ、固定用部材３ｂ、縦連結用部材３ｃは、雄型スナップボタン、雌型スナップボタンに限定されるものではなく、例えば、紐でも良い。【００３１】  すなわち、固定兼縦連結用部材（雄型スナップボタン）３ａと固定用部材（雌型スナップボタン）３ｂとを用いて、吊下式収納部材Ａを固定部Ｂに固定する構成を示したが、固定兼縦連結用部材３ａのみにより吊下式収納部材Ａを固定部Ｂに固定する構成（例えば、紐やフック）とすることも可能である。【００３２】  この場合には、複数個の吊下式収納部材Ａを垂下連結するために、固定兼縦連結用部材３ａと連結する縦連結用部材３ｃについて、固定兼縦連結用部材３ａと連結可能な構成（例えば、紐や穴）とする。【００３３】  同様に、横連結用部材は、舌片部４に設けた雄型面ファスナー５ａ、本体１の裏面に設けた雌型面ファスナー５ｂに限定されるものではなく、例えば、紐でも良い。【００３４】  また、本体１やポケット２の材質や模様等は適宜選択可能であることは言うまでもなく、色々な素材やデザインからなる複数個の吊下式収納部材Ａを用意することにより、パッチワークのような楽しみも生じ、インテリアとして新鮮なデザインを楽しむことが可能である。【００３５】  また、収納物品の形状、大きさ、必要な数に合わせてそれぞれ独立したポケット２の連結の仕方を変えることで、使用者自身が自分の好みや目的に合わせた収納管理ができるので、設置スペースが変わってもそのスペースの大きさに応じた吊下式収納部材Ａに変えることができ、設置が可能である。【００３６】  また、吊下式収納部材Ａの最小単位を一つのポケット２とすれば、必要な収納物品とスペースに合わせたポケット２を有する吊下式収納部材Ａを用意するだけで済むため、収納物品が増えても必要時に買い足し連結させることが可能である。【００３７】  また、特定のポケット２について、使用頻度や日常の動線、利き手等に合わせて吊下式収納部材Ａの位置を替えることが可能なため、収納管理だけでなく使い勝手を良くし、作業効率アップが可能である。【００３８】  また、吊下式収納部材Ａを設置する場所も壁だけでなくワイヤーラック、既存の洋服ハンガー、家具のラダー等を利用することができ、容易に位置を変更できるため様々な場所で使用でき、使用範囲の拡大が可能である。【００３９】  なお、本考案は、添付した図面に限定されるものではなく、使用する材質、形状等は任意に選択することができるものである。
【符号の説明】
【００４０】Ａ  吊下式収納部材
１  本体
２  ポケット
３ａ  雄型スナップボタン（固定兼縦連結用部材）
３ｂ  雌型スナップボタン（固定用部材）
３ｃ  雌型スナップボタン（縦連結用部材）
４  舌片部
５ａ  雄型面ファスナー（横連結用部材）
５ｂ  雌型面ファスナー（横連結用部材）
Ｂ  固定部
【図１】
0003219451.tif 000003
【図２】
0003219451.tif 000004
【図３】
0003219451.tif 000005
【図４】
0003219451.tif 000006
【図５】
0003219451.tif 000007
【図６】
0003219451.tif 000008
【図７】
0003219451.tif 000009
【図８】
0003219451.tif 000010
【図９】
0003219451.tif 000011